(57)【要約】【課題】  人体に対して振動を効率的に伝達することができる振動式マッサージ装置を提供する。【解決手段】  この振動式マッサージ装置は、支持台２４側の支持クッション３１と人体側の加振クッション３２との間に設けられる振動体ユニット２０を有している。支持クッション３１は高反発ウレタン製のスポンジであり、加振クッション３２は低反発ウレタン製のスポンジである。この振動式マッサージ装置は椅子やベッドに取り付けられて、人体に振動を伝達する。【選択図】    図３
2005270198.tif 000002
【特許請求の範囲】
【請求項１】
支持台側と人体との間に配置されて人体に振動を加える振動式マッサージ装置であって、支持台側の支持クッションと人体側の加振クッションとの間に振動ユニットを設け、前記支持クッションを高反発のスポンジとし、前記加振クッションを低反発のスポンジとすることを特徴とする振動式マッサージ装置。
【請求項２】
請求項１記載の振動式マッサージ装置において、前記高反発のスポンジを高反発ウレタン製とし、前記低反発のスポンジを低反発ウレタン製とすることを特徴とする振動式マッサージ装置。
【請求項３】
請求項１または２記載の振動式マッサージ装置において、前記支持クッションを椅子本体に取り付けることを特徴とする振動式マッサージ装置。
【請求項４】
請求項１または２記載の振動式マッサージ装置において、前記支持クッションをベッド本体に取り付けることを特徴とする振動式マッサージ装置。
【発明の詳細な説明】
【技術分野】
【０００１】
本発明は振動子により人体に振動を加える振動式マッサージ装置に関する。
【背景技術】
【０００２】
振動体により人体に振動を加えて人体の疲労回復や血行改善および誘眠効果を得るため、振動体つまり振動ユニットが組み込まれた椅子やベッドが開発されている。たとえば、振動体を椅子に組み込む場合には、椅子本体を構成する支持板やシートなどの支持台側の部材にクッション材を介して振動体を取り付けるとともに、振動体が直接人体に接触しないように振動体の表面にクッションを配置し、クッションを介して振動が人体に加わるようにしている（特許文献１参照）。
【特許文献１】特開平７−７７７７号公報
【発明の開示】
【発明が解決しようとする課題】
【０００３】
椅子本体を構成する支持台側に取り付けられるクッションつまり支持クッションは、振動体を直接支持台側の剛性部材に取り付けると振動体の振動が消されてしまうことになるので、振動体をフローティング状態で支持するために使用されている。この支持クッションとして柔らかいものを使用すると、椅子本体側の剛性部材に接触して振動体の振動が消されることになり、接触を防ぐために厚い支持クッションを使用すると、マッサージ装置が大型化してしまうという問題点がある。
【０００４】
一方、１つの振動体から人体に伝搬される振動範囲の大きさはほぼその振動体の大きさに限られてしまうという問題がある。
【０００５】
本発明の目的は、人体に対して振動を効率的に伝達することができる振動式マッサージ装置を提供することにある。
【課題を解決するための手段】
【０００６】
本発明の振動式マッサージ装置は、支持台側と人体との間に配置されて人体に振動を加える振動式マッサージ装置であって、支持台側の支持クッションと人体側の加振クッションとの間に振動ユニットを設け、前記支持クッションを高反発のスポンジとし、前記加振クッションを低反発のスポンジとすることを特徴とする。
【０００７】
本発明の振動式マッサージ装置は、前記高反発のスポンジを高反発ウレタン製とし、前記低反発のスポンジを低反発ウレタン製とすることを特徴とする。
【０００８】
本発明の振動式マッサージ装置は、前記支持クッションを椅子本体に取り付けることを特徴とする。
【０００９】
本発明の振動式マッサージ装置は、前記支持クッションをベッド本体に取り付けることを特徴とする。
【発明の効果】
【００１０】
本発明によれば、振動体ユニットを支持クッションと加振クッションとの間に設け、支持クッションを支持台側に配置し、加振クッションを人体側に配置するようにし、支持クッションを高反発のスポンジとし、加振クッションを低反発のスポンジとしたので、振動体ユニットにより発生した振動は支持クッションにより遮断されて外部には伝搬されない。振動は人体に加振クッションから伝達されることになり、低反発の加振クッションはスポンジ内部の変形抵抗によって振動のような高速度の変形に対して抵抗力を発揮し、振動体ユニットからの振動による変形に対して剛体に近づく特性を持つことになることから、振動は加振クッションを貫通するようにして効率的に人体に伝達される。しかも、加振クッションはこれが振動体ユニットに接触する部分よりも広い範囲に渡って振動を伝達することになるので、１つの振動体ユニットにより生成された振動を人体の広い範囲に伝達することになる。
【００１１】
また、人体に振動を伝達する低反発の加振クッションは、人体の押しつけ力による変形のようなゆっくりとした変形には人体の凹凸に対応して柔軟に変形することになるので、確実に振動が人体に伝達される。
【００１２】
さらに、この振動式マッサージ装置は椅子やベッドに組み込んで人体に振動を加えて、疲労回復や血行改善および誘眠効果を得ることができる。
【発明を実施するための最良の形態】
【００１３】
以下、本発明の実施の形態を図面に基づいて詳細に説明する。図１は本発明の振動式マッサージ装置が組み込まれた椅子を示す側面図であり、図２は本発明の振動式マッサージ装置が組み込まれたベッドを示す側面図である。
【００１４】
図１に示す椅子１０は、座部１１ａと背当て部１１ｂと脚乗せ部１１ｃとを有し、これらは椅子本体１２に取り付けられており、背当て部１１ｂには枕部１１ｄが取り付けられている。図１は椅子１０の基本構造を示す図であり、背当て部１１ｂを座部１１ａ側を中心として回動させるようにしたり、脚乗せ部１１ｃを座部１１ａ側を中心として回動させるようにすることもできる。座部１１ａ、背当て部１１ｂおよび脚乗せ部１１ｃにはそれぞれ振動体ユニット２０が組み込まれている。一方、図２に示すベッド１３はベッド本体１４に身体の背中、腰および脚の部分などに対応させてそれぞれ振動体ユニット２０が組み込まれて構成されている。
【００１５】
図３は上述した振動体ユニット２０を示す拡大断面図であり、振動体ユニット２０は枠体２１とこの内部に組み込まれる振動子２２がばね部材２３を介して枠体２１に取り付けられており、振動子２２を電気エネルギーや空気圧エネルギーにより図３において上下方向に所定の周波数、たとえば、５０〜７０Hz程度の振動周波数で振動させると、その振動が枠体２１に伝達されて振動体ユニット２０が振動する。
【００１６】
この振動体ユニット２０は、図１に示す椅子１０に組み込まれる場合には、椅子１０の椅子本体１２を構成する支持板やシート材などからなる支持台２４と表面カバー２５との間に組み込まれることになり、振動体ユニット２０と支持台２４との間には支持クッション３１が設けられ、振動体ユニット２０と表面カバー２５との間には加振クッション３２が設けられるようになっている。このように、振動体ユニット２０は椅子本体１２の支持台２４に対して支持クッション３１を介して支持されているので、フローティング構造となって椅子本体１２に取り付けられることになる。一方、振動体ユニット２０の振動は加振クッション３２を介して人体に伝達されることになる。支持クッション３１は高反発ウレタン製のスポンジにより形成されており、加振クッション３２は低反発ウレタン製のスポンジにより形成されている。
【００１７】
図４は振動体ユニット２０が組み込まれて振動体ユニット２０の振動が人体Ｍに伝達されているときの振動系を示す模式図である。支持クッション３１および加振クッション３２を構成するスポンジは、いずれも振動を吸収するばね部材としての弾性係数ｋの要素を有するとともに、スポンジ内部の変形抵抗によりヒステリシス減衰するダンパーとしての減衰係数ｃの要素を有している。しかし、支持クッション３１として高反発ウレタン製のスポンジを用いると、高反発ウレタンは実質的には弾性係数ｋ1を有し振動を吸収するばね部材としての要素がかなりを占めることになり、振動体ユニット２０を自由に椅子の内部で振動させるとともに、椅子本体１２に伝達される振動を遮断ないし絶縁する機能を持つことになる。
【００１８】
これに対して、加振クッション３２として低反発ウレタン製のスポンジを用いると、低反発ウレタンは振動を吸収するばね部材としての弾性係数ｋ2の要素と、変形速度に比例する抵抗力を持つダンパーとしての減衰係数ｃの要素とを併せ持つことになる。特に、人が動くようなゆっくりした変形が低反発ウレタン製のスポンジに加わると、弾性係数ｋ2の要素の影響が。しかし、振動体ユニット２０により発生する周波数の振動に対しては、スポンジ内部の変形速度が大きくなってダンパー要素の効果により加振クッション３２は見かけ上、相対的に剛体に近づいて強い加振力が加振クッション３２を貫通するようにして人体に伝達される。しかも、見かけ上剛体に近づくと、加振クッション３２には振動体ユニット２０の外径に対応する部分のみならず、広い範囲に渡って振動体ユニット２０からの振動が加振クッション３２を介して伝達されるので、椅子１０の座部１０ａなどの各部位に組み込む振動体ユニット２０の数を少なくすることができる。
【００１９】
このように、振動体ユニット２０の支持台側に高反発ウレタン製のスポンジを配置し、人体側を高いダンパー効果を持つ低反発ウレタン製のスポンジを配置すると、高反発ウレタン製のスポンジは大きなばね要素で椅子本体１２側に伝達される振動を保存ないし吸収するのに対し、低反発ウレタン製のスポンジは減衰係数ｃの要素があるため、特に振動体ユニット２０により生成される振動数による高速度の変形に対しては減衰係数ｃの効果が高まるので、大きな変形抵抗によって振動のみを人体に伝達することになる。しかも、加振クッション３２を構成する低反発ウレタンは人体の凹凸部や湾曲部にまんべんなく接触することになるので、座りごこちを損なうことなく、効率的に人体に振動を伝達することができる。
【００２０】
支持クッション３１および加振クッション３２としては、ウレタン製のスポンジが使用されているが、支持クッション３１としては、振動体ユニット２０の振動を椅子本体１２に伝達しないように遮断する特性を有し、振動体ユニット２０をフローティング支持する特性を有する高反発特性を有するものであれば、ウレタンに限られるものではない。同様に、加振クッション３２としては、振動体ユニット２０の振動を人体に伝達するように、減衰係数が高いという特性を有するものであれば、ウレタンに限られることはない。
【００２１】
本発明は前記実施の形態に限定されるものではなく、その要旨を逸脱しない範囲で種々変更可能である。たとえば、図１は本発明を椅子に適用した場合を示し、図２は本発明をベッドに適用した場合を示すが、本発明の加振マッサージ装置はこれらに限られず、人体に振動を伝えて人体の疲労回復や血行改善を行うものであれば、床に直接配置するようなマットなどにも本発明を適用することも可能である。
【図面の簡単な説明】
【００２２】
【図１】本発明の振動式マッサージ装置が組み込まれた椅子を示す側面図である。
【図２】本発明の振動式マッサージ装置が組み込まれたベッドを示す側面図である。
【図３】振動体ユニットを示す拡大断面図である。
【図４】振動体ユニットが組み込まれて振動体ユニットの振動が人体に伝達されているときの振動系を示す模式図である。
【符号の説明】
【００２３】
１０      椅子
１１ａ    座部
１１ｂ    背当て部
１１ｃ    脚乗せ部
１１ｄ    枕部
１２      椅子本体
１３      ベッド
１４      ベッド本体
２０      振動体ユニット
２１      枠体
２２      振動子
２３      ばね部材
２４      支持台
２５      表面カバー
３１      支持クッション
３２      加振クッション
【図１】
2005270198.tif 000003
【図２】
2005270198.tif 000004
【図３】
2005270198.tif 000005
【図４】
2005270198.tif 000006